(57)【要約】【課題】歯科治療ユニットにおけるコップ式うがい水供給装置において、コップにうがい水を供給している間、該コップをＬＥＤの発光色によって照明するようにするとともに、該発光色の光強度をコップに給入された水量によって変化するようにし、コップ内への給水状況を効果的に目視可能にする。【解決手段】歯科治療ユニット１０のコップ式うがい水供給スピットン装置３のコップ載置部上方にＬＥＤ１１を有し、前記コップ載置部下部に前記コップに供給された水量に感応する圧力センサ１３を有する。ＬＥＤ１１は、前記コップ載置部に置かれたコップ２０に上方から可視光を照射するものであり、かつ、その可視光の強さを前記圧力センサ１３の出力に応じて変化させる。【選択図】図１
2008125958.tif 000002
【特許請求の範囲】
【請求項１】
歯科治療ユニットのコップ式うがい水供給スピットン装置のコップ載置部上方にＬＥＤを有し、前記コップ載置部下部に前記コップに供給された水量に感応する圧力センサを有し、前記ＬＥＤは、前記コップ載置部に置かれたコップに上方から可視光を照射するものであり、かつ、該可視光の強さを前記圧力センサの出力に応じて変化させるものであることを特徴とする歯科治療ユニット。
【請求項２】
前記ＬＥＤは、発光色の異なる複数種のＬＥＤから成り、これら複数種のＬＥＤを選択的に組み合わせることにより所望の色の照射光を得るようにしたことを特徴とする請求項１に記載の歯科治療ユニット。
【請求項３】
前記可視光を照射するＬＥＤに加え紫外線を照射するＬＥＤを有することを特徴とする請求項１に記載の歯科治療ユニット。
【請求項４】
前記紫外線を照射するＬＥＤは前記圧力センサに応じることなく所定の強度の紫外線を照射するものであることを特徴とする請求項３に記載の歯科治療ユニット。
【発明の詳細な説明】
【技術分野】
【０００１】
本発明は、歯科治療ユニット、より詳細には、歯科治療ユニットにおけるコップ式うがい水供給装置に関する。
【背景技術】
【０００２】
図３は、本発明が適用される歯科治療ユニットの一例を説明するための概略全体構成図で、図中、１０は歯科治療ユニットで、該歯科治療ユニット１０は、治療椅子１，ワークテーブル２，スピットン３，うがい水噴射管４，術者（ドクター）用インスツルメントホルダー５，術者用インスツルメント６，インスツルメントホース７，アシスタント用インスツルメントホルダー８等から成り、インスツルメントホルダー５には、歯科治療において使用する種々のインスツルメント６が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にし、インスツルメントホルダー５よりインスツルメント６を引き出して、治療を行う。
【０００３】
患者は、歯科治療に先立って或いは歯科治療中に、口腔内をうがいするが、図示のように、うがい水をうがい水噴射管４より噴射してコップ２０に注ぎ、該コップ２０内の水でうがいをするコップ式うがい方式の場合、コップ２０が紙コップ等不透明な材料で構成されている場合、コップ２０に給入された水量（水位）が見にくく、どの位給水されたのか、或いは、満水になったのか等の判断がつきにくかった。
【発明の開示】
【発明が解決しようとする課題】
【０００４】
本発明は、上述のごとき実情に鑑みてなされたのもので、特に、歯科治療ユニットにおけるコップ式うがい水供給装置において、コップにうがい水を供給している間、該コップをＬＥＤの発光色によって照明するようにするとともに、該発光色の光強度をコップに給入された水量によって変化するようにし、コップ内への給水状況を効果的に目視可能にすることを目的としてなされたものである。
【０００５】
更には、発光色を治療環境に合せて選択的に変えることができるようにして、或いは、青色，緑色，紫色等、術者や患者に安らぎを与えることができるようにすることを目的としてなされたものである。
【０００６】
更には、ＬＥＤの中に紫外線を発生するＬＥＤを組み込んでおき、コップ或いはコップ内のうがい水を殺菌するようにすることを目的としてなされたものである。
【課題を解決するための手段】
【０００７】
請求項１の発明は、歯科治療ユニットのコップ式うがい水供給スピットン装置のコップ載置部上方にＬＥＤを有し、前記コップ載置部下部に前記コップに供給された水量に感応する圧力センサを有し、前記ＬＥＤは、前記コップ載置部に置かれたコップに上方から可視光を照射するものであり、かつ、該可視光の強さを前記圧力センサの出力に応じて変化させるものであることを特徴としたものである。
【０００８】
請求項２の発明は、請求項１の発明において、前記ＬＥＤは、発光色の異なる複数種のＬＥＤから成り、これら複数種のＬＥＤを選択的に組み合わせることにより所望の色の照射光を得るようにしたことを特徴としたものである。
【０００９】
請求項３の発明は、請求項１の発明において、前記可視光を照射するＬＥＤに加え紫外線を照射するＬＥＤを有することを特徴としたものである。
【００１０】
請求項４の発明は、請求項３の発明において、前記紫外線を照射するＬＥＤは前記圧力センサに応じることなく所定の強度の紫外線を照射するものであることを特徴としたものである。
【発明の効果】
【００１１】
うがいコップに供給されたうがい水の量をＬＥＤから照射される光の強さによって判断するようにしたので、コップが不透明材料で構成され、コップ内の水を目視できない場合等に用いて好適である。更には、ＬＥＤからの発光色を選択することによって、術者や患者の好みに応じた色で照明することができる。更には、歯科治療室の機器や内装の色に適した色で照明することができ、更には、人間（特に、術者や患者）にやさしい色、例えば、青色，緑色，紫色等で照明することによって、術者や患者に安心感を与えることができる。更には、ＬＥＤの中に、紫外線を発生するＬＥＤを組み合せて配設しておくことにより、コップやコップ内のうがい水を滅菌するようにすることも可能である。
【発明を実施するための最良の形態】
【００１２】
図１は、本発明による歯科治療ユニットに適用されるうがい水供給装置の一実施例を説明するための要部構成図で、図１（Ａ）はスピットン装置部の斜視図、図１（Ｂ）は側面概念図である。本発明は、図３に示した従来の歯科治療ユニットにおけるコップ式うがい方式と同様、うがい水噴射管４によりコップ２０にうがい水を給入し、患者が、該コップ２０内のうがい水で口腔内をうがいするようにしたコップ式うがい装置に関するものであるが、本発明においては、載置されるコップ２０の上方に、ＬＥＤ１１を有し、該ＬＥＤ１１の発光強度をコップ２０に供給された水量に従って変化させながらコップ２０を上方より照明するようにしたものである。
【００１３】
ＬＥＤ１１は、コップ２０が載置される位置の上方に設けられたＬＥＤ照射器１２内に収納されており、ＬＥＤ１１からの光は該ＬＥＤ照射器１２より下方に向けて照射される。ＬＥＤ照射器１２の上部は、好ましくは、円環状に形成されており、ＬＥＤ１１からの光は、円環状にコップ２０の上方からコップ２０に向けて照射され、円環内の空間を通してうがい水噴射管４からのうがい水がコップ２０に供給される。
【００１４】
うがいコップ２０を載置する部分の下部には、例えば、圧力センサ１３が設けられており、コップ２０内にうがい水が給入されると、その給入量（コップ２０内の水量）に応じて、該圧力センサ１３の抵抗値が変化する。この変化する抵抗値を用いて、ＬＥＤ１１に流す電流を変化させることにより、ＬＥＤ１１から照射される光の強さを変化させることができる。
【００１５】
ＬＥＤとして、発光色の異なる複数種のＬＥＤを設けておく時は、術者や患者の好みに応じて、これら発光色の異なるＬＥＤを組み合わせて発光させることによって、好きな色でコップを照明することができ、或いは、青，緑，紫等人間にやさしい色で照明させ、術者や患者に安心感を与えるようにすることもできる。このようにすると、患者及び術者は、うがいコップ２０内にどの位のうがい水が供給されているかを該コップ２０を照明するＬＥＤ１１からの光の強さで知ることができる。更には、コップ２０がうがい水で満杯になった時は、例えば、赤色の光で強く照明するようにすると、コップ２０内が満水であることを容易に認識することができる。
【００１６】
本発明は、上述のように、歯科治療ユニットにおけるコップ式うがい供給装置において、コップに供給されたうがい水の量をＬＥＤから照射される光の強さによって判断するようにしたものであり、コップが不透明材料で構成され、コップ内の水を目視できない場合等に用いて好適であるが、更には、ＬＥＤからの発光色を選択することによって、術者や患者の好みに応じた色で照明することができ、更には、歯科治療室の機器や内装の色に適した色で照明することができ、更に、人間（特に、術者や患者）にやさしい色、例えば、青色，緑色，紫色等で照明することによって、術者や患者に安心感を与えることができる。
【００１７】
更には、前記ＬＥＤの中に、紫外線を発生するＬＥＤを組み合せて配設しておくことにより、コップ２０やコップ２０内のうがい水を滅菌するようにすることも可能である。この紫外線用ＬＥＤは、コップ２０内の容量に関係なく、所定の一定強度で紫外線を照射するようにしてもよく、むしろ、その方が効果的である。
【００１８】
図２は、圧力センサ１３とＬＥＤ１１との関係を説明するための図で、図示例は、圧力センサ１３の抵抗変化によって、トランジスタＴｒのベース・エミッタ内電圧を変化させることにより、ＬＥＤ１１に流す電流を変化させ、該ＬＥＤの発光強度を変化させるようにしたものであるが、この他、任意所望の構成によって、圧力センサ１３の出力によって、ＬＥＤ１１の出力を変えることができる。
【図面の簡単な説明】
【００１９】
【図１】本発明による歯科治療ユニットに適用されるうがい水供給装置の一実施例を説明するための要部構成図である。
【図２】ＬＥＤの発光強度を変化させる一例を説明するための図である。
【図３】本発明が適用される歯科治療ユニットの一例を説明するための概略全体構成図である。
【符号の説明】
【００２０】
１…治療椅子、２…ワークテーブル、３…スピットン、４…水噴射管、５…インスツルメントホルダー、６…術者用インスツルメント、７…インスツルメントホース、８…アシスタント用インスツルメントホルダー、９…安頭台、１０…歯科治療ユニット、１１…ＬＥＤ、１２…ＬＥＤ照射器、１３…圧力センサ、２０…コップ。
【図１】
2008125958.tif 000003
【図２】
2008125958.tif 000004
【図３】
2008125958.tif 000005